(57)【要約】【課題】本発明は、通常発光時には効率良く光源の光を導出することができると共に蓄光もでき、暗転時には効率良く蓄光層の蓄光を導出できるチャンネル文字装置を提供する。【解決手段】本発明のチャンネル文字装置は、光を発するＬＥＤ９と、ＬＥＤ９を格納する筺体部４と、筺体部４に接続された乳半部３と、乳半部３に接続された導光部２と、筺体部４の乳半部３に対向する後面４ｂに配設され、ＬＥＤ９の光を受け蓄光すると共に蓄光した光を導出する蓄光シート５とを有し、導光部２は、所定の文字、図形、記号、またはこれらの組合せからなる所定の情報の外観を呈した形状からなることを特徴とする。【選択図】  図１
2015055800.tif 000002
【特許請求の範囲】
【請求項１】
光を発する光源と、
前記光源を格納する筺体部と、
前記筺体部に接続された拡散部と、
前記拡散部に接続された導光部と、を有し、
前記光源からの光の導出方向に、拡散部、導光部の順に配列されており、
前記導光部は、所定の文字、図形、記号、またはこれらの組合せからなる所定の情報の外観を呈した形状からなること
を特徴とするチャンネル文字装置。
【請求項２】
前記筐体部の前記拡散部に対向する後面に前記光源が配設され、
当該後面に対して垂直な内周面の少なくとも一部に蓄光シートが配設されていること
を特徴とする請求項１に記載のチャンネル文字装置。
【請求項３】
光を発する光源と、
前記光源を格納する筺体部と、
前記筺体部に接続された拡散部と、
前記拡散部に接続された導光部と、
前記筺体部の前記拡散部に対向する後面に配設され、前記光源の光を受け蓄光すると共に蓄光した光を導出する蓄光シートと、を有し、
前記光源は、前記蓄光シートが配設された前記筺体部の後面側に配光するように配置されており、前記導光部は、所定の文字、図形、記号、またはこれらの組合せからなる所定の情報の外観を呈した形状からなること
を特徴とするチャンネル文字装置。
【請求項４】
前記導光部は、導光板からなり、表面がフロスト加工されていること
を特徴とする請求項３に記載のチャンネル文字装置。
【請求項５】
前記導光部は、所定の文字、図形、記号、またはこれらの組合せからなる所定の情報の外郭を縁取りした形状からなること
を特徴とする請求項３又は４に記載のチャンネル文字装置。
【請求項６】
前記蓄光シートは、粘着層を有し、当該粘着層により前記筺体部の前記後面に接合されていること
を特徴とする請求項３乃至５のいずれかに記載のチャンネル文字装置。
【請求項７】
前記光源は発光ダイオードであり、
前記発光ダイオードの色温度は、９０００ケルビンであること
を特徴とする請求項３に記載のチャンネル文字装置。
【請求項８】
光を発する光源と、
前記光源を格納する筺体部と、
前記筺体部に接続された拡散部と、
前記拡散部に接続された導光部と、を有し、
前記光源からの光の導出方向に、拡散部、導光部の順に配列されていること
を特徴とする表示装置。
【発明の詳細な説明】
【技術分野】
【０００１】
本発明は、光源等の光を導光板を介して導出することで所定の情報を報知するように構成されたチャンネル文字装置、及び表示装置に関する。
【背景技術】
【０００２】
従来、屋内外の電飾広告には、チャンネル文字装置が用いられている。従来のチャンネル文字装置の多くは、文字部分を乳半板で構成し、その筐体側に光源を配置し、光源からの光を直接、乳半板に出射するチャンネル文字装置が用いられている。また、ＬＥＤ等の光源からの光を、反射ドットが刻まれた導光板の主面で拡散した後、乳半板を介して導出するような構成となっていた。そして、このような構成は、広く表示装置一般にも採用されていた。
【０００３】
一方、例えば特許文献１では、所定の面内に配設される光源を設けた光源部と、この光源からの光が一端面から入射され該一端面に対向する他端面から出射される板状の導光板を光源部の所定の面内から起立させて設けた発光部と、を備え、導光板が、所定の情報の外郭を縁取りした形状から形成されているチャンネル文字装置が開示されている。
【０００４】
このようなチャンネル文字装置は、広告・宣伝用の看板や各種案内標識として用いられるものであることから、夜間等、暗転時においても正確に案内表示を行うことが必要とされている。このような場合、夜間等において、表示をサポートするバックライトとして機能するものとして蓄光シートが採用されている。
【０００５】
例えば、特許文献２では、基板の表面に図柄が非蓄光性インキで形成され、図柄を覆う状態で白色の蓄光層が形成された誘導灯用表示パネルが開示されている。この技術では蓄光層は透光性があるので視認性を阻害せず、消灯後はライトの役割を担う。
【０００６】
そして、特許文献３では、特に携帯端末装置における表示装置のバックライト装置において、光源ランプによる発光と蓄光材による発光を用い、光源ランプを点灯させなくても充分な明るさで視認可能とした携帯端末装置が開示されている。
【０００７】
さらに、特許文献４では、蓄光シートを粘着剤を介して文字板基板上に貼り合わせて形成した時計用蓄光文字板において、蓄光シートは蓄光の上面に一層の半透明カラー被膜を有し、カラー発光を出現させた時計用文字板が開示されている。
【０００８】
また、特許文献５では、基材シートの表面に蓄光塗料又は蓄光フィルムで形成された発光表示面が形成され、基材シートの上には積層された透光性シートの表面に通常表示面が形成され、周囲が暗くなると発光表示面に表示が切り替わる技術が開示されている。
【０００９】
しかしながら、特許文献２〜５に開示された技術は、いずれも導光板を用いたものではなく、通常発光時は導光板を介して光源の光を導出すると共に蓄光層への蓄光を行い、暗転時に当該蓄光層の光を導光板を介して導出するようなものではない。
【００１０】
ここで、導光板を用いたものとしては以下のものがある。
【００１１】
すなわち、特許文献６では、内部又は外部に蓄光層が形成されている導光板に、蓄光機能のない表示部が設けられ、蓄光層の表示部が設けられていない側に、接着剤層を介して白色フィルムを積層した反射層が設けられている標識が開示されている。
【００１２】
特許文献７では、電気的に発光する光源と、該光源が発する光を導く導光板とを有する面発光表示装置であって、前記導光板の表裏各面を臨む位置に、半透光性を有すると共に可視光以下で白色または近似白色を呈する蓄光顔料による蓄光層を有する蓄光シートが配置された面発光表示装置が開示されている。
【先行技術文献】
【特許文献】
【００１３】
【特許文献１】特開２０１２−１９４５１８号公報
【特許文献２】特開２００７−１８３３７号公報
【特許文献３】特許第４２８２６５１号公報
【特許文献４】実用新案登録第２５７５３０６号公報
【特許文献５】特開２００４−１６３６２１号公報
【特許文献６】特許第４０９４４１０号公報
【特許文献７】特開２００８−１２２７９８号公報
【発明の概要】
【発明が解決しようとする課題】
【００１４】
しかしながら、光源を乳半板の直下に配置した場合には、輝点が乳半板を通して見えてしまうのを避けるため、光源からの距離を取る必要があり、構造体の厚みが厚くなると同時に乳半板に至る照度は暗くなってしまうことがあった。
【００１５】
また、導光板を使用した場合は、多少輝点を回避することができるが、導光板で拡散した後、乳半板で再度拡散されるので照度は暗くなってしまうことがあった。そのため、光源の光を効率よく表示体に表示されることが困難であった。
【００１６】
そこで、本発明はこの様な実情に鑑みてなされたものであり、輝点が無く表示体全体を均一に表示することができ、また構造体の厚みが厚くなることが無く、光源としてのＬＥＤ又は蓄光シートからの光を、乳半板等により拡散した後に更に導光板を介して効率よく拡散して上品で柔らかい発光を実現するチャンネル文字装置、及び表示装置を提供することを目的とする。
【課題を解決するための手段】
【００１７】
上述したような技術的な課題を解決するため、本発明の第１の態様に係るチャンネル文字装置は、光を発する光源と、前記光源を格納する筺体部と、前記筺体部に接続された拡散部と、前記拡散部に接続された導光部と、を有し、前記光源からの光の導出方向に、拡散部、導光部の順に配列されており、前記導光部は、所定の文字、図形、記号、またはこれらの組合せからなる所定の情報の外観を呈した形状からなることを特徴とする。
【００１８】
本発明の第２の態様に係るチャンネル文字装置は、光を発する光源と、光源を格納する筺体部と、筺体部に接続された拡散部と、拡散部に接続された導光部と、筺体部の拡散部に対向する後面に配設され、光源の光を受け蓄光すると共に蓄光した光を導出する蓄光シートと、を有し、光源は、前記蓄光シートが配設された前記筺体部の後面側に配光するように配置されており、導光部は、所定の文字、図形、記号、またはこれらの組合せからなる所定の情報の外観を呈した形状からなることを特徴とする。
【００１９】
本発明の第３の態様に係る表示装置は、光を発する光源と、前記光源を格納する筺体部と、前記筺体部に接続された拡散部と、前記拡散部に接続された導光部と、を有し、前記光源からの光の導出方向に、拡散部、導光部の順に配列されていることを特徴とする。
【発明の効果】
【００２０】
本発明によれば、光源等の光を乳半板等により拡散した後に更に導光板を介して程度に拡散して上品で柔らかい発光を実現するチャンネル文字装置、及び表示装置を提供することができる。
【００２１】
さらに、蓄光シートを用いた場合には、通常発光時には効率良く光源の光を導出することができると共に蓄光シートへの蓄光もでき、暗転時には効率良く蓄光シートの蓄光を導出することができるチャンネル文字装置、及び表示装置を提供することができる。
【００２２】
即ち、光源を蓄光シートが配設された筺体部の後面側に配光するように配置すれば光源が輝点として表出せず、蓄光シートへ直接光源を当てることができるので蓄光光量を上げると同時に、蓄光と反射光の拡散部側への導出とを限られたスペースで効率良く行うことができる。
【００２３】
さらに、導光部としての導光板の表面をフロスト加工とすれば、蓄光の光量が少ない場合であっても、当該表面での拡散により輝点が見えず柔らかい発光を実現できる。
【００２４】
また、導光部により、所定の文字等、所定の情報の外郭を縁取りすれば、多種多様な情報を表出することが可能である。
【００２５】
また、蓄光シートが粘着層を有する構成とすれば、簡易に筺体部に蓄光シートを貼り付けることができ、複数枚の蓄光シートの貼り付けも効率的に行うことができる。
【００２６】
さらに、光源としてのＬＥＤの色温度を９０００Ｋとすれば、高い色温度を有するＬＥＤの光の筺体の後面での反射光が拡散部、更には導光部を介して導出されるため、意匠面に影響を与えない柔らかい白色を実現できる。
【図面の簡単な説明】
【００２７】
【図１】本発明の第１の実施形態に係るチャンネル文字装置の構成図である。
【図２】本発明の第１の実施形態に係るチャンネル文字装置の乳半部のネジ穴の様子を示す断面図である。
【図３】本発明の第１の実施形態に係るチャンネル文字装置に採用される蓄光シートの構成例を示す断面図である。
【図４】本発明の第１の実施形態に係るチャンネル文字装置のネジによる壁面等への取り付け構造を説明する断面図である。
【図５】本発明の第１の実施形態に係るチャンネル文字装置の外観図である。
【図６】本発明の第２の実施形態に係るチャンネル文字装置の構成図である。
【図７】本発明の第２の実施形態に係るチャンネル文字装置の構成図である。
【図８】本発明の第２の実施形態に係るチャンネル文字装置の外観図である。
【発明を実施するための形態】
【００２８】
以下、本発明のチャンネル文字装置及び表示装置に係る好適な実施形態について図面を参照しながら説明する。なお、本発明のチャンネル文字装置等は、以下の記述に限定されるものではなく本発明の要旨を逸脱しない範囲において、適宜変更可能である。
【００２９】
本発明の実施形態の説明に先立ち、第１及び第２の実施形態に共通する特徴について説明する。従来技術に係るチャンネル文字装置、表示装置においては、光源が筐体の背面つまり光の導出面に対向する面に配置され、光源からの光は導光板で拡散された後に乳半板で拡散され導出されるような構成となっていたところ、本発明では、光源からの光が乳半板で拡散された後に導光板を介して導出されるような構成となっている。
【００３０】
このように、従来技術では、光源から導光板、乳半板との並び順であったことから、導出面側から見た場合に光源の光がドットとなり見えてしまったり、内部での光の減衰を考慮して導光板の厚さも制限されていたので、設計にも自由度がなかったが、本願のように乳半板、導光板の並び順とすることで、そのような課題も解決されている。また、導光板の切断面を含む表面にフロスト加工を施すことで、仮に乳半板にて拡散された光が微弱であっても、フロスト加工面での拡散により柔らかく浮かび上がったような上品な発光を実現することもできる。
【００３１】
そして、このような光源から乳半板、導光板との並び順とした上で、更に蓄光シートを採用すれば、暗転時の発光も保障することができる。その場合、例えば箱型の筐体を用いて、その前面開口に乳半板、導光板を順に配設し、その配設面と対向する後面にＬＥＤ等の光源を配設するならば、後面に対して鉛直となる筐体の内周面の少なくとも一部に蓄光シートを貼り付けて、暗転時に当該蓄光シートの蓄光を用いることもできる。
【００３２】
以下の第１の実施形態、第２の実施形態では、上記乳半板、導光板の並び順に加えて更に光源としてのＬＥＤの配置、蓄光シートの配置にも工夫を施している。以下、第１及び第２の実施形態のそれぞれについて順に説明する。
【００３３】
＜第１の実施形態＞
先ず、本発明の第１の実施形態として所謂シングルタイプを説明する。
【００３４】
図１には本発明の第１の実施形態に係るチャンネル文字装置の構成を示し説明する。
【００３５】
同図に示されるように、このチャンネル文字装置１は、透明アクリル板等からなる導光部２を備えている。この導光部２の切断面を含む表面は、フロスト加工されている。ここで、「フロスト加工」とは、導光部２の表面がザラザラした半透明に仕上がるように加工することをいう。フロスト加工によれば、導光部２の表面が半透明になる事で光は拡散されるので、柔らかい光に変わるといった効果がある。後述するように、この第１の実施形態では、暗転時には、蓄光シートに蓄光された光を用いて発光するが、光源の光に比して当該蓄光の輝度が低くても、このフロスト加工により表面での拡散がなされるので、全体として柔らかく上品な発光が実現されるのである。
【００３６】
導光部２の後面には乳半板３が配設されており、当該乳半板３は前面開口の筺体部４に接着されている。即ち、筺体部４から発せられた光が外部に漏れないように、筺体部４の前面の全周が黒色の接着剤１０により乳半板３に対して接着されている。尚、乳半板３に所定の厚みをもたせて、上記導光板２を備えない構成としてもよい。
【００３７】
筺体部４の底面４ａには半導体基板８が配設されており、当該半導体基板８の上には光源としてのＬＥＤ９が実装されている。この例では、ＬＥＤ９の配光が後面４ｂ側となるようにＬＥＤ９の発光面が規定されている。筺体部４の後面４ｂの内側には詳細は後述する蓄光シート５が全面にわたり貼り付けられている。但し、蓄光シート５を後面４ｂの少なくとも一部に貼り付けてもよい。
【００３８】
筺体部４の後面４ｂならびに蓄光シート５には、開口部７が設けられており、更に乳半板３にもネジ孔３ａが設けられている。このネジ孔３ａの様子は、図２に示される通りであり、例えばルーター加工により形成されている。透明樹脂からなるネジ６は、この筺体部４、蓄光シート５の開口部７を介して貫通し、乳半板３のネジ孔３ａにネジ止めされることで、筺体部４が乳半板３に対して固定される。
【００３９】
ここで、上記蓄光シート５の構成例は、図３に示される通りである。
【００４０】
同図に示されるように、蓄光シート５は、ＰＥＴ層５ｅ、蓄光層５ｄ、反射層５ｃ、粘着層５ｂ、剥離紙５ａが積層された積層構造となっている。筺体部４の後面４ｂの内側全面には、蓄光シート５が、その剥離紙５ａを剥がし、粘着層５ｂにより貼り付けられることになる。この第１の実施形態では、蓄光シート５を、その蓄光層５ｄがＰＥＴ層５ｅを介して導光部２側に向くように筺体部４の後面４ｂに貼り付けているが、例えば９０００［K］といった高い色温度を有するＬＥＤ９の光の当該後面４ｂでの反射光が乳半板３、更には導光部２を介して導出されるため、意匠面に影響を与えない柔らかい白色となっている。即ち、蓄光層５ｄのクリーム色が高い色温度のＬＥＤ９の光と相殺されて、導光部２側からは白色に見えるのである。なお、反射層５ｃが導光部２に対向するように蓄光シート５を貼り付けてもよいが、その場合には、輝度は低くなり、反射層の白味は多少強くなる。後面４ｂが反射層として機能するならば、反射層５ｃはなくてもよい。
【００４１】
蓄光シート５は、透明支持体となるＰＥＴ層５ｅの表面に、アクリル樹脂材料に微粉末の蓄光顔料を混練した蓄光層５ｄを積層し、更にその蓄光層５ｄの上に反射層５ｃを積層して構成される。但し、これに限定されない。
【００４２】
即ち、透明支持体はＰＥＴフィルム、その他、透明であれば、アクリル、ＰＣ等適宜採用することが可能である。また、蓄光層５ｄについても、この第１の実施形態では、アルミン酸ストロンチウムからなる蓄光顔料を採用したが、これには限定されず、ＺｎＳなどと、バインダ樹脂、アクリル、ＰＶＣ、ポリエステルなど、支持体に密着し、顔料層を形成できれば適宜選べる。また、アルミン酸ストロンチウムに賦活（付活）剤として希土類元素を添加した蓄光顔料を採用することもできる。また、ＺｎＳ（硫化亜鉛）を主成分とする場合には、添加物として例えば金属類となるＣｕを含んでよい。さらに、反射層５ｃとしては、白色顔料としてのＴｉＯ２を採用したが、これに限定されず白色顔料としてのＢａＳＯ４、ＭｇＯ、ＺｒＯ、Ｔａｌｃ、Ａｌ２Ｏ３、ＰＭＭＡ、ＰＥ、ＰＰ等と、バインダ樹脂、アクリル、ＰＶＣ、ポリエステル等顔料層を形成できれば適宜選べる。この例では、透明支持体となるＰＥＴ層５ｅを備える構成としたが、透明支持体を備えない構成としてもよいことは勿論である。
【００４３】
蓄光シート５の各層のサイズは、例えば、ＰＥＴ層５ｅが３８μｍ、蓄光層５ｄが２２０〜２３０μｍ、粘着層５ｂが１０〜２５μｍ、剥離紙５ａが１６０〜１６５μｍとすることができる。また、反射層５ｃだけを取り出した場合には、数十μｍとすることができる。但し、これには限定されない。
【００４４】
このような構成において、平常動作時には、電源供給により光源としてのＬＥＤ９が発光し、筺体部４の後面４ｂの蓄光シート５に向けて照射される。蓄光シート５は、この光照射により蓄光を行う。それと同時に、蓄光シート５の貼り付け面である筺体部４の後面４ｂの内側が反射面となって（蓄光シート５が反射層５ｃを含む場合には反射層５ｃ）、光源であるＬＥＤ９からの照射光が反射される。この反射された光は、蓄光部５ｄ、ＰＥＴ層５ｅを透過し、乳半板３へと導かれる。乳半板３は、この光を拡散し、拡散光は導光部２より導出され、こうして所定の文字を表出する。
【００４５】
一方、無電源時には、蓄光シート５の蓄光層５ｄより発光された光がＰＥＴ層５ｅを透過し、乳半板３へと導かれる。乳半板３は、この光を拡散し、拡散光は導光部２より導出され、所定の文字を表出する。すなわち、この第１の実施形態では、暗転時には、蓄光シート５の蓄光層５ｄに蓄光された光を用いて発光するが、光源であるＬＥＤ９の光に比して当該蓄光の輝度が低くても、導光部２のフロスト加工された表面での拡散がなされるので、全体として柔らかい上品な発光が実現されるのである。
【００４６】
上記説明では、蓄光シート５を１枚用いる例を示したが、蓄光シート５は複数枚重ねるようにして蓄光光量を増加させるようにしてもよいことは勿論である。
【００４７】
ここで、チャンネル文字装置１の壁面等への取り付けは、例えば図４の構成により実現される。即ち、同図に示されるように、筺体部４の後面４ｂの外側に溶接（半田付け）等によりナット１１を取り付け、当該ナット１１にビス１２をねじ込むことで、壁面等への取り付けが可能となる。
【００４８】
このようなチャンネル文字装置の外観の様子は、例えば図５に示される。ここでは、数字の"３"の外郭を模った形状を呈しているが、筺体部４は、例えば黒３分艶塗装が施されているので、導光部２の柔らかい発光が"３"の文字を浮き立たせる。
【００４９】
以上説明したように、本発明の第１の実施形態によれば、光を発する光源としてのＬＥＤ９と、ＬＥＤ９を格納する筺体部４と、筺体部４に接続された拡散部としての乳半板３と、拡散部に接続された導光部２と、筺体部４の拡散部としての乳半板３に対向する後面４ｂに配設され、光源としてのＬＥＤ９の光を受け蓄光すると共に蓄光した光を導出する蓄光シート５と、を有し、導光部２は、所定の文字、図形、記号、またはこれらの組合せからなる所定の情報の外観を呈した形状からなることを特徴とするチャンネル文字装置１が提供される。これによれば、ＬＥＤ９或いは蓄光シート５で蓄光された光を導光部２に導き、所定の情報を浮き立たせることができる。
【００５０】
また、蓄光シート５は、粘着層５ｂを有し、当該粘着層５ｂにより筺体部４の後面４ｂに接合されていることとしてもよい。これによれば、簡易に装着が可能となる。
【００５１】
そして、筺体部４の後面４ｂは反射層として機能し、反射層５ｃの反射率は当該反射層の反射率より小さいこととしてもよい。これによれば、蓄光シート５の蓄光層５ｄでの蓄光の効率が高まることとなる。
【００５２】
以上のほか、導光部は、導光板からなり、表面がフロスト加工されていることとしてもよい。あるいは、導光部は導光板からなり、表面に凹部又は凸部が形成されていることとしもよい。これによれば、文字等の所定の情報を浮かび立たせることが可能となる。
【００５３】
従って、本実施形態に係るチャンネル文字装置によれば、通常発光時には効率良く光源の光を導出することができると共に蓄光もでき、暗転時には効率良く蓄光層の蓄光を導出することができる。尚、以上の構成は、表示装置としての実施にも適用可能であることは勿論である。
【００５４】
＜第２の実施形態＞
次に本発明の第２の実施形態として所謂ダブルタイプを説明する。
【００５５】
図６、７には本発明の第２の実施形態に係るチャンネル文字装置の構成を示し説明する。
【００５６】
同図に示されるように、このチャンネル文字装置２０は、透明アクリル板等からなる導光部２１を備えている。この導光部２１の表面は、フロスト加工されている。フロスト加工によれば、導光部２１の表面が半透明になる事で光は拡散されるので、柔らかい光に変わるといった効果がある。導光部２１は、凸部２１ａと凹部２１ｂを備えた凹凸形状となっており、凸部２１ａにより所定の文字等の外郭を所定幅で表す。また、導光部２１には後述するネジ止め用のネジ２９が装着されるためのナット２８が溶接等により設けられる開口部２１ｃも設けられている。
【００５７】
導光部２１の後面には乳半板２２が配設されており、当該乳半板２２は前面開口の筺体部２３に接着されている。筺体部２３から発せられた光が外部に漏れないように、筺体部２３の前面の全周が黒色の接着剤２６により乳半板２２に対して接着されている。尚、乳半板２２に所定の厚みをもたせて、上記導光板２１を備えない構成としてもよい。
【００５８】
筺体部２３の上面２３ａには半導体基板２４ａが配設されており、当該半導体基板２４ａの上には光源としてのＬＥＤ２５ａが実装されている。同様に、筺体部２３の底面２３ｂには半導体基板２４ｂが配設されており、当該半導体基板２４ｂの上には光源としてのＬＥＤ２５ｂが実装されている。
【００５９】
この例では、ＬＥＤ２５ａ，２５ｂの配光が筺体部２３の後面２３ｃ側となるようにＬＥＤ２５ａ，２５ｂの発光面が規定されている。筺体部２３の後面２３ｃの内側には蓄光シート５が全面にわたり貼り付けられている。蓄光シート５の詳細な構成は、先に第１の実施形態で説明したもの（図５）と同様であるので、重複した説明は省略し、同一構成には図５と同一符号を用いて説明を行う。筺体部２３の後面２３ｂの内側全面には、蓄光シート５が、その剥離紙５ａを剥がし、粘着層５ｂにより貼り付けられる。この第２の実施形態では、蓄光シート５を、その蓄光層５ｄがＰＥＴ層５ｅを介して導光部２１側に向くように筺体部２３の後面２３ｃに貼り付けているが、例えば９０００［K］といった高い色温度を有するＬＥＤ２５ａ，２５ｂの光の当該後面２３ｃでの反射光が乳半板２２、更には導光部２１を介して導出されるため、意匠面に影響を与えない柔らかい白色となっている。すなわち、蓄光層５ｄのクリーム色が高い色温度のＬＥＤ２５ａ，２５ｂの光と相殺されて、導光部２１側からは白色に見えるのである。尚、反射層５ｃが導光部２１に対向するように蓄光シート５を貼り付けてもよいが、輝度は低くなり、反射層の白味は多少強くなる。
【００６０】
筺体部２３の後面２３ｃならびに蓄光シート５には、開口部３１が設けられており、更に乳半板２２にも開口部２２ａが設けられている。透明樹脂からなるネジ２９は、この筺体部２３、蓄光シート５の開口部３１を介して貫通し、乳半板２２の開口部２２ａを通過し、導光部２１の開口部２１ｃに設けられたナット２８にネジ止めされることで、筺体部２３が乳半板２２を介して導光板２１に対して固定される。
【００６１】
筺体部４の後面４ｂの内側全面には、蓄光シート５が、その剥離紙５ａを剥がし、粘着層５ｂにより貼り付けられることになる。蓄光シート５は、後面４ｂの一部に貼り付けるようにしてもよい。
【００６２】
このような構成において、平常動作時には、電源供給により光源としてのＬＥＤ２４ａ，２４ｂが発光し、筺体部２３の後面２３ｃの蓄光シート５に向けて照射される。蓄光シート５は、この光照射により蓄光を行う。それと同時に、蓄光シートの貼り付け面である筺体部２３の後面２３ｃの内側が反射面となって（蓄光シート５が反射層５ｃを備える場合には反射層５ｃ）、光源であるＬＥＤ２４ａ，２４ｂからの照射光が反射される。この反射された光は、蓄光シート５の蓄光部５ｄ、ＰＥＴ層５ｅを透過し、乳半板２２へと導かれる。乳半板２２は、この光を拡散し、拡散光は導光部２１より導出され、所定の文字を表出する。
【００６３】
一方、無電源時には、蓄光シート５の蓄光層５ｄより発光された光がＰＥＴ層５ｅを透過し、乳半板２２へと導かれる。乳半板２２は、この光を拡散し、拡散光は導光部２１より導出され、所定の文字を表出する。即ち、第２の実施形態では、暗転時には、蓄光シート５の蓄光層５ｄに蓄光された光を用いて発光するが、光源であるＬＥＤ２５ａ，２５ｂの光に比して当該蓄光の輝度が低くても、導光部２１のフロスト加工された表面での拡散がなされるので、全体として柔らかい発光が実現されるのである。
【００６４】
上記説明では、蓄光シート５を１枚用いる例を示したが、蓄光シート５は複数枚重ねるようにして蓄光効率を高めるようにしてもよいことは勿論である。
【００６５】
このようなチャンネル文字装置の外観の様子は、例えば図８に示される。ここでは、矢印の外郭を導光部２１の凸部２１ａで模った形状を呈しているが、凹部２１ｂには例えば黒３分艶塗装が施されたスチール板３０が設けられているので、導光部２１の柔らかい発光が矢印の外郭を浮き立たせる（図６参照）。
【００６６】
以上説明したように、本発明の第２の実施形態によれば、光を発する光源としてのＬＥＤ２４ａ，２４ｂと、ＬＥＤ２４ａ，２４ｂを格納する筺体部２３と、筺体部２３に接続された拡散部としての乳半板２２と、拡散部に接続された導光部２１と、筺体部２３の拡散部としての乳半板２２に対向する後面２３ｃに配設され、光源としてのＬＥＤ２４ａ，２４ｂの光を受け蓄光すると共に蓄光した光を導出する蓄光シート５と、を有し、導光部２１は、所定の文字、図形、記号、またはこれらの組合せからなる所定の情報の外郭を縁取りした形状からなることを特徴とするチャンネル文字装置１が提供される。これによれば、ＬＥＤ２４ａ，２４ｂ或いは蓄光シート５で蓄光された光を導光部２１に導き、所定の情報を浮き立たせることができる。
【００６７】
従って、本実施形態に係るチャンネル文字装置によれば、複数の光源により蓄光シート５での蓄光効率を高め、暗転時においても、蓄光シートの蓄光により所定の文字等の情報の外郭を浮き立たせることができる。尚、以上の構成は、表示装置としての実施にも適用可能であることは勿論である。
【００６８】
本発明の第１及び第２の実施形態が採用した蓄光シート５の反射層５ｃの反射率は、蓄光（励起）現象に与える影響と蓄光発光現象に与える影響が大きい４４０ｎｍ〜５２０ｎｍの領域で、例えば６０〜９５％としてもよい。また、本発明の第１及び第２の実施形態が採用した蓄光シート５の透過率は、蓄光（励起）現象に与える影響と蓄光発光現象に与える影響が大きい４４０ｎｍ〜５２０ｎｍの領域で、例えば平均で５〜２５％としてもよい。これは効率的な蓄光及び発光に寄与することを意味する。
【符号の説明】
【００６９】
１  チャンネル文字装置
２  導光部
３  乳半部
４  筺体部
５  蓄光シート
５ａ  剥離紙
５ｂ  粘着層
５ｃ  反射層
５ｄ  蓄光層
５ｅ  ＰＥＴ層
６  ネジ
７  ネジ孔
８  半導体基板
９  ＬＥＤ
１０  接着剤
１１  ナット
１２  ビス
２０  チャンネル文字装置
２１  導光部
２２  乳半部
２３  筺体部
２４ａ，２４ｂ  半導体基板
２５ａ，２５ｂ  ＬＥＤ
２６  接着剤
２７  ナット
２８  ナット
２９  ネジ
３０  スチール板
３１  ネジ孔
【図１】
2015055800.tif 000003
【図２】
2015055800.tif 000004
【図３】
2015055800.tif 000005
【図４】
2015055800.tif 000006
【図５】
2015055800.tif 000007
【図６】
2015055800.tif 000008
【図７】
2015055800.tif 000009
【図８】
2015055800.tif 000010